(57)【要約】【課題】検索の際のユーザの利便性を向上させること。【解決手段】キーワード取得部は、コンテンツに関するキーワードを取得する。記憶部は、前記キーワードに対して複数の検索サービスの中から選択された一部の検索サービスが関連付けられて記憶している。検索エンジン決定部は、記憶部からキーワード取得部が取得したキーワードに対応する検索サービスを読み取ることで検索エンジンを決定する。検索エンジン決定部は、キーワードに関連付けられた検索サービスと、ジャンルと、に基づいて検索エンジンで検索するジャンルを決定する。【選択図】図５
2014010638.tif 000002
【特許請求の範囲】
【請求項１】
コンテンツに関するキーワードを取得するキーワード取得部と、
前記キーワードに対して複数の検索サービスの中から選択された一部の検索サービスが関連付けられて記憶されている記憶部から、前記キーワード取得部が取得した前記キーワードに対応する前記検索サービスを読み取ることで検索エンジンを決定する検索エンジン決定部と
を備えること
を特徴とする情報検索システム。
【請求項２】
前記検索エンジン決定部は、
前記キーワードに対して複数の検索サービスの中から選択された一部の検索サービスが関連付けられて記憶されている前記記憶部から前記キーワードに関連する情報を読み出し、前記検索エンジンで検索するジャンルを決定すること
を特徴とする請求項１に記載の情報検索システム。
【請求項３】
前記検索エンジン決定部は、
前記キーワードに対して複数の検索サービスの中から選択された一部の検索サービスが関連付けられて記憶されている前記記憶部から前記キーワードに関連する情報を読み出し、前記検索サービスの中から前記キーワードに関連する検索サービスを決定すること
を特徴とする請求項１に記載の情報検索システム。
【請求項４】
前記検索エンジン決定部は、
前記キーワードに対して複数の検索サービスの中から選択された一部の検索サービスが関連付けられて記憶されている前記記憶部から前記キーワードに関連する情報を読み出し、前記検索サービスの中から前記キーワードに関連する関連サービスを決定すること
を特徴とする請求項１に記載の情報検索システム。
【請求項５】
前記検索エンジン決定部は、
前記キーワードに対して複数の検索サービスの中から選択された一部の検索サービスが関連付けられて記憶されている前記記憶部からユーザ端末装置に関する情報を読み出し、該読み出したユーザ端末装置に関する情報を用いて前記検索サービスを決定すること
を特徴とする請求項３に記載の情報検索システム。
【請求項６】
前記検索エンジン決定部は、
前記キーワードに対して複数の検索サービスの中から選択された一部の検索サービスが関連付けられて記憶されている前記記憶部からユーザ端末装置に関する情報を読み出し、該読み出したユーザ端末装置に関する情報を用いて前記関連サービスを決定すること
を特徴とする請求項４に記載の情報検索システム。
【請求項７】
前記ユーザ端末装置に関する情報は、製品の型番、性能、機能、クロック数のうち少なくとも一つを含む情報であることを特徴とする請求項５、請求項６に記載の情報検索システム。
【請求項８】
前記検索エンジン決定部は、
前記キーワードに対して複数の検索サービスの中から選択された一部の検索サービスが関連付けられて記憶されている前記記憶部から、前記キーワード取得部が取得したキーワードに対応する検索オプションを更に読み出し、前記検索エンジンで検索する際の検索オプションを決定すること
を特徴とする請求項１に記載の情報検索システム。
【請求項９】
前記検索エンジン決定部は、
前記キーワードに対して更に検索オプションが関連付けられて記憶されている前記記憶部から前記キーワードに関連する情報を読み出し、提示する前記検索サービスが前記検索エンジンであった場合、オプションを用いて、提示する前記検索サービスを決定すること
を特徴とする請求項１に記載の情報検索システム。
【請求項１０】
前記検索エンジン決定部は、
前記記憶部に記憶されている前記キーワードに関連づけられた検索サービスに、優先度が設定されており、該優先度に基づいて前記検索サービスを決定すること
を特徴とする請求項９に記載の情報検索システム。
【請求項１１】
前記検索エンジン決定部は、
前記記憶部に記憶されている前記キーワードに関連づけられた検索オプションに、優先度が設定されており、該優先度に基づいて前記検索オプションを決定すること
を特徴とする請求項９に記載の情報検索システム。
【請求項１２】
前記検索エンジン決定部は、
前記記憶部に記憶されている前記キーワードに関連づけられた関連サービスに、優先度が設定されており、該優先度に基づいて前記関連サービスを決定すること
を特徴とする請求項９に記載の情報検索システム。
【請求項１３】
前記検索エンジン決定部は、
前記キーワードに対して複数の検索サービスの中から選択された一部の検索サービスが関連付けられて記憶されている前記記憶部から前記キーワードに関連する情報を読み出し、表示部が前記検索エンジンを提示する際に、優先度に関する情報に基づいて表示する表示態様を変更すること
を特徴とする請求項１に記載の情報検索システム。
【請求項１４】
前記優先度に関する情報は、前記キーワードに対して予め関連づけて設定された優先度を示す条件に関する情報であること
を特徴とする請求項１３に記載の情報検索システム。
【請求項１５】
前記優先度に関する情報は、前記検索エンジンで検索された結果のヒット件数に関する情報のことであることを特徴とする請求項１３に記載の情報検索システム。
【請求項１６】
前記検索エンジン決定部は、
前記キーワードに対して複数の検索サービスの中から選択された一部の検索サービスが関連付けられて記憶されている前記記憶部からキーワードに関連する情報を読み出し、前記キーワードと、地域と、が関連付けられた地域情報と、ユーザ端末装置の位置情報と、を比較し、該比較した結果に基づいて、表示部に表示する表示態様を変更すること
を特徴とする請求項１に記載の情報検索システム。
【請求項１７】
前記検索エンジン決定部は、
前記キーワードに対して複数の検索サービスの中から選択された一部の検索サービスが関連付けられて記憶されている前記記憶部から前記キーワードに関連する情報を読み出し、コンテンツ情報を前記オプションとして関連サービスに通知することで、コンテンツに関するコメントまたは広告を表示部に表示する表示態様を変更すること
を特徴とする請求項１１に記載の情報検索システム。
【請求項１８】
コンテンツに関するキーワードを取得するキーワード取得部と、
前記キーワードに対して複数の検索サービスの中から選択された一部の検索サービスが関連付けられて記憶されている記憶部から前記キーワード取得部が取得した前記キーワードに対応する前記検索サービスを読み取ることで検索エンジンを決定する検索エンジン決定部と
を備えること
を特徴とする情報処理装置。
【請求項１９】
キーワード取得部がコンテンツに関するキーワードを取得する第１の過程と、
検索エンジン決定部が前記キーワードに対して複数の検索サービスの中から選択された一部の検索サービスが関連付けられて記憶する記憶部から前記キーワードに対応する前記検索サービスを読み取ることで検索エンジンを決定する第２の過程と、
を有すること
を特徴とする情報検索方法。
【請求項２０】
コンピュータに、
コンテンツに関するキーワードを取得させる第１のステップと、
前記キーワードに対して複数の検索サービスの中から選択された一部の検索サービスが関連付けられて記憶されている記憶部から前記キーワードに対応する前記検索サービスを読み取ることで検索エンジンを決定する第２のステップと、
を実行させるための情報検索プログラム。
【発明の詳細な説明】
【技術分野】
【０００１】
本発明は、情報検索システム、情報処理装置、情報検索方法、および情報検索プログラムに関する。
【背景技術】
【０００２】
キーワードを基に複数の検索サービスを用いてインターネット上の情報を検索したり、複数の関連サービスを提示したりするシステムがある。特許文献１に記載の技術は、複数の検索サービスを見やすくユーザに提示し、ユーザが入力した検索情報に応じて複数の検索用ページ各々において検索された複数の検索結果のうち一つを表示部に表示させ、ユーザが入力した操作情報に基づいて、複数の検索結果のうち、他の一つを表示部に表示させるものである。
【先行技術文献】
【特許文献】
【０００３】
【特許文献１】特開２０１１−１１８７７０号公報
【発明の概要】
【発明が解決しようとする課題】
【０００４】
しかしながら、キーワードが検索サービスや関連サービスにマッチしないため、検索しても何も検索結果が出てこないことがある。また、検索結果が膨大になり目的の情報に辿り着けないこと、または、キーワードに関連しているサービスが提示されているかわからないこともある。このように、検索の際のユーザの利便性が十分でないという問題があった。
【０００５】
本発明は上記の点に鑑みてなされたものであり、検索の際のユーザの利便性を向上させることを可能とする情報検索システム、情報処理装置、情報検索方法、および情報検索プログラムを提供することを課題とする。
【課題を解決するための手段】
【０００６】
（１）本発明は上記の課題を解決するためになされたものであり、本発明の一態様は、情報検索システムであって、コンテンツに関するキーワードを取得するキーワード取得部と、前記キーワードに対して複数の検索サービスの中から選択された一部の検索サービスが関連付けられて記憶されている記憶部から、前記キーワード取得部が取得した前記キーワードに対応する前記検索サービスを読み取ることで検索エンジンを決定する検索エンジン決定部と、を備えること、を特徴とする。
【０００７】
（２）また、本発明の一態様は、（１）に記載の情報検索システムであって、前記検索エンジン決定部は、前記キーワードに対して複数の検索サービスの中から選択された一部の検索サービスが関連付けられて記憶されている前記記憶部から前記キーワードに関連する情報を読み出し、前記検索エンジンで検索するジャンルを決定することを特徴とする。
【０００８】
（３）また、本発明の一態様は、（１）に記載の情報検索システムであって、前記検索エンジン決定部は、前記キーワードに対して複数の検索サービスの中から選択された一部の検索サービスが関連付けられて記憶されている前記記憶部から前記キーワードに関連する情報を読み出し、前記検索サービスの中から前記キーワードに関連する検索サービスを決定することを特徴とする。
【０００９】
（４）また、本発明の一態様は、（１）に記載の情報検索システムであって、前記検索エンジン決定部は、前記キーワードに対して複数の検索サービスの中から選択された一部の検索サービスが関連付けられて記憶されている前記記憶部から前記キーワードに関連する情報を読み出し、前記検索サービスの中から前記キーワードに関連する関連サービスを決定することを特徴とする。
【００１０】
（５）また、本発明の一態様は、（１）、（２）、（３）に記載の情報検索システムであって、前記検索エンジン決定部は、前記キーワードに対して複数の検索サービスの中から選択された一部の検索サービスが関連付けられて記憶されている前記記憶部からユーザ端末装置に関する情報を読み出し、該読み出したユーザ端末装置に関する情報を用いて前記検索サービスを決定することを特徴とする
【００１１】
（６）また、本発明の一態様は、（１）、（２）、（４）に記載の情報検索システムであって、前記検索エンジン決定部は、前記キーワードに対して複数の検索サービスの中から選択された一部の検索サービスが関連付けられて記憶されている前記記憶部からユーザ端末装置に関する情報を読み出し、該読み出したユーザ端末装置に関する情報を用いて前記関連サービスを決定することを特徴とする。
【００１２】
（７）また、本発明の一態様は、（５）、（６）に記載の情報検索システムであって、前記ユーザ端末装置に関する情報は、製品の型番、性能、機能、クロック数のうち少なくとも一つを含む情報であることを特徴とする。
【００１３】
（８）また、本発明の一態様は、（１）に記載の情報検索システムであって、前記検索エンジン決定部は、前記キーワードに対して複数の検索サービスの中から選択された一部の検索サービスが関連付けられて記憶されている前記記憶部から、前記キーワード取得部が取得したキーワードに対応する検索オプションを更に読み出し、前記検索エンジンで検索する際の検索オプションを決定することを特徴とする。
【００１４】
（９）また、本発明の一態様は、（１）に記載の情報検索システムであって、前記検索エンジン決定部は、前記キーワードに対して更に検索オプションが関連付けられて記憶されている前記記憶部から前記キーワードに関連する情報を読み出し、提示する前記検索サービスが前記検索エンジンであった場合、オプションを用いて、提示する前記検索サービスを決定することを特徴とする。
【００１５】
（１０）また、本発明の一態様は、（９）に記載の情報検索システムであって、前記検索エンジン決定部は、前記記憶部に記憶されている前記キーワードに関連づけられた検索サービスに、優先度が設定されており、該優先度に基づいて前記検索サービスを決定することを特徴とする。
【００１６】
（１１）また、本発明の一態様は、（９）に記載の情報検索システムであって、前記検索エンジン決定部は、前記記憶部に記憶されている前記キーワードに関連づけられた検索オプションに、優先度が設定されており、該優先度に基づいて前記検索オプションを決定することを特徴とする。
【００１７】
（１２）また、本発明の一態様は、（９）に記載の情報検索システムであって、前記検索エンジン決定部は、前記記憶部に記憶されている前記キーワードに関連づけられた関連サービスに、優先度が設定されており、該優先度に基づいて前記関連サービスを決定することを特徴とする。
【００１８】
（１３）また、本発明の一態様は、（１）に記載の情報検索システムであって、前記検索エンジン決定部は、前記キーワードに対して複数の検索サービスの中から選択された一部の検索サービスが関連付けられて記憶されている前記記憶部から前記キーワードに関連する情報を読み出し、表示部が前記検索エンジンを提示する際に、優先度に関する情報に基づいて表示する表示態様を変更することを特徴とする。
【００１９】
（１４）また、本発明の一態様は、（１３）に記載の情報検索システムであって、前記優先度に関する情報は、前記キーワードに対して予め関連づけて設定された優先度を示す条件に関する情報であることを特徴とする。
【００２０】
（１５）また、本発明の一態様は、（１３）に記載の情報検索システムであって、前記優先度に関する情報は、前記検索エンジンで検索された結果のヒット件数に関する情報のことであることを特徴とする。
【００２１】
（１６）また、本発明の一態様は、（１）に記載の情報検索システムであって、前記検索エンジン決定部は、前記キーワードに対して複数の検索サービスの中から選択された一部の検索サービスが関連付けられて記憶されている前記記憶部からキーワードに関連する情報を読み出し、前記キーワードと、地域と、が関連付けられた地域情報と、ユーザ端末装置の位置情報と、を比較し、該比較した結果に基づいて、表示部に表示する表示態様を変更することを特徴とする。
【００２２】
（１７）また、本発明の一態様は、（１１）、（１２）、（１３）に記載の情報検索システムであって、前記検索エンジン決定部は、前記キーワードに対して複数の検索サービスの中から選択された一部の検索サービスが関連付けられて記憶されている記憶部から前記キーワードに関連する情報を読み出し、コンテンツ情報を前記オプションとして関連サービスに通知することで、コンテンツに関するコメントまたは広告を表示部に表示する表示態様を変更することを特徴とする。
【００２３】
（１８）また、本発明の一態様は、情報処理装置であって、コンテンツに関するキーワードを取得するキーワード取得部と、前記キーワードに対して複数の検索サービスの中から選択された一部の検索サービスが関連付けられて記憶されている記憶部から前記キーワード取得部が取得した前記キーワードに対応する前記検索サービスを読み取ることで検索エンジンを決定する検索エンジン決定部とを備えることを特徴とする。
【００２４】
（１９）また、本発明の一態様は、情報検索方法であって、キーワード取得部がコンテンツに関するキーワードを取得する第１の過程と、検索エンジン決定部が前記キーワードに対して複数の検索サービスの中から選択された一部の検索サービスが関連付けられて記憶する記憶部から前記キーワードに対応する前記検索サービスを読み取ることで検索エンジンを決定する第２の過程と、を有することを特徴とする。
【００２５】
（２０）また、本発明の一態様は、情報検索プログラムであって、コンピュータに、
コンテンツに関するキーワードを取得させる第１のステップと、前記キーワードに対して複数の検索サービスの中から選択された一部の検索サービスが関連付けられて記憶されている記憶部から前記キーワードに対応する前記検索サービスを読み取ることで検索エンジンを決定する第２のステップと、を実行させる。
【発明の効果】
【００２６】
本発明によれば、検索の際のユーザの利便性を向上させることができる。
【図面の簡単な説明】
【００２７】
【図１】本発明の実施形態に係る情報検索システムの概念図である。
【図２】本実施形態に係る視聴ランキングに関する番組情報に関連するサービスの一例を示す概念図である。
【図３】本実施形態に係る番組情報に関連する検索サービスおよび関連サービスの提示の一例を示す概念図である。
【図４】本実施形態に係るユーザ端末装置の構成の一例を示す概略ブロック図である。
【図５】本実施形態に係る検索情報管理サーバ装置の構成の一例を示す概略ブロック図である。
【図６】本実施形態に係る番組ジャンルに関連付けられたデフォルト検索サービス、検索オプション、および関連サービスの一例を示すテーブルである。
【図７】本実施形態に係るキーワードに関連づけられた検索サービス、検索オプション、および関連サービスの一例を示すテーブルである。
【図８】本実施形態に係る検索サービスにおける検索サービスＵＲＬとオプションとに関連づけられたロゴデータ、必須機能、推奨機能、対応端末、および地域の一例を示すテーブルである。
【図９】本実施形態に係る関連サービスにおける関連サービスＵＲＬとオプションとに関連づけられたロゴデータ、必須機能、推奨機能、対応端末、および地域の一例を示すテーブルである。
【図１０】本実施形態に係る情報検索サーバ装置の構成の一例を示す概略ブロック図である。
【図１１】本実施形態に係る検索サービス、および関連サービスを提示する動作を説明するフローチャートである。
【図１２】本実施形態に係る検索サービス、および関連サービスの提示する方法の一例を示す概念図である。
【図１３】本実施形態に係る検索サービス、および関連サービスの提示する方法の一例を示す概念図である。
【図１４】本実施形態に係る検索サービス、および関連サービスの提示する方法の一例を示す概念図である。
【図１５】本実施形態に係る検索サービス、および関連サービスの提示する方法の一例を示す概念図である。
【図１６】本実施形態に係る検索サービス、および関連サービスの提示する方法の一例を示す概念図である。
【図１７】本実施形態に係る検索サービス、および関連サービスの提示する方法の一例を示す概念図である。
【図１８】本実施形態に係る関連サービス、および検索結果の表示の一例を示す概念図である。
【図１９】本実施形態に係る番組情報、キーワード、およびオプションなどの提供により関連サービスの提示の一例を示す概念図である。
【発明を実施するための形態】
【００２８】
（実施形態）
以下、図面を参照しながら本発明の実施形態について詳しく説明する。
図１は、本発明の実施形態に係る情報検索システムＳ１の概念図である。
情報検索システムＳ１は、ユーザ端末装置１、検索情報管理サーバ装置２、および情報検索サーバ装置３を含んで構成される。ユーザ端末装置１は、例えば、プラズマディスプレイ装置、液晶装置または有機ＥＬ装置の表示部１０６（図４）を有する。ユーザ端末装置１は、通信網Ｎ１を介して、検索情報管理サーバ装置２および情報検索サーバ装置３に検索情報を送信し、また検索結果を受信する。ここで、検索情報とは、検索を行うために必要な情報であって、一例としてキーワードがある。
【００２９】
ユーザ端末装置１は、番組情報、例えば、テレビの番組表からコンテンツに関するキーワードの取得を行う。本発明の実施形態は、テレビの番組表からコンテンツに関するキーワードの取得をして検索を行う場合に限定されない。例えば、番組に関連するキーワードを、外部の番組情報提供会社のデータベース(図示せず)、外部のサーバ装置(図示せず)などから取得するようにしてもよい。検索情報管理サーバ装置２は、ユーザ端末装置１から送信されたキーワードに対し、該キーワードに関連する検索サービスおよび関連サービスを決定する。情報検索サーバ装置３は、検索情報管理サーバ装置２で決定された検索サービスを用いて検索を行い、検索オプションなどが設定されている場合、更に選定条件を絞り込んで検索を行う。
【００３０】
なお、検索情報管理サーバ装置２および情報検索サーバ装置３は、便宜上別の装置として図示しているが、サーバ装置（図示せず）が、検索情報管理サーバ装置２と情報検索サーバ装置３との構成を含む構成であってもよい。この場合、サーバ装置は、検索情報管理サーバ装置２における通信部２０１（図５）がキーワードの取得を行ってもよいし、ユーザから入力される操作信号、例えば、リモコンなどによるキーワードの選択するボタン操作信号およびキーワードを決定する決定キーを押下したことによる操作信号などを受け付けてもよい。
【００３１】
また、情報処理装置（図示せず）が、検索情報管理サーバ装置２とユーザ端末装置１とを含む構成であってもよいし、検索情報管理サーバ装置２とユーザ端末装置１と、情報検索サーバ装置３とを含む構成であってもよい。この場合、情報処理装置は、通信部２０１が番組情報からキーワードの抽出を行うことで、キーワードの取得を行い、キーワード取得部１０５（図４）でユーザからキーワードの選択を受け付けてもよい。例えば、情報処理装置は、検索情報管理サーバ装置２において検索サービスおよび関連サービスの検索と表示部１０６（図１）に提示する検索サービスおよび関連サービスを決定し、表示部１０６に検索サービスおよび関連サービスの提示を行ってもよい。
【００３２】
図２は、本実施形態に係る視聴ランキングに関する番組情報に関連するサービスの一例を示す概念図である。
画像Ｇ１０は、ユーザ端末装置１の表示部１０６に表示されたところの地域Ａにおける視聴ランキングの一例である。ランキングＧ１１は、視聴者の多い順、もしくは視聴率に応じて順位づけされた番組タイトルおよび番組コードが表示される。ユーザがランキングＧ１１の中から番組を選択すると、表示画像は、ランキングＧ１１から番組情報に切り替わる。
【００３３】
ユーザの行う選択は、例えば、テレビのリモコン（図示せず）のカーソルキーの操作および決定ボタンを押下することにより行われる。例えば、１位にランキングされた情報バラエティＧ１１１をユーザが選択すると、番組情報Ｇ２０が表示される。番組情報Ｇ２０は、番組タイトルＧ２１、番組コード、出演者の名前、関連情報などが表示される。ユーザが、例えば、出演者：ＸＸ花子Ｇ２２を選択すると、出演者：ＸＸ花子Ｇ２２がキーワードとなり、検索サービスのウインドウＧ２３が表示部１０６に表示される。
【００３４】
検索サービスのウインドウＧ２３には、検索エンジン、ＶＯＤ（ビデオオンデマンド：Ｖｉｄｅｏ  Ｏｎ  Ｄｅｍａｎｄ）検索Ｇ２２１、番組表検索、録画リスト検索、レシピ（料理の調理法）サイト、オンラインショッピングサイト、広告サイトなどが表示される。検索サービスのウインドウＧ２３の中からユーザがＶＯＤ検索Ｇ２２１を選択すると、表示画像は、番組情報Ｇ２０からＶＯＤ検索画面Ｇ３０に切り替わる。
【００３５】
ＶＯＤ検索画面Ｇ３０は、検索ウインドウＧ３１、ジャンル選択ウインドウＧ３２を含む。ユーザは、検索先のＶＯＤサービスサイトを選択できる。検索ウインドウＧ３１には、検索キーワードとしてユーザが選択したＸＸ花子Ｇ２２が表示される。なお、検索キーワードは、ユーザが検索ウインドウＧ３１に直接、入力装置、例えば、リモコンやキーボードを用いて入力してもよい。
【００３６】
検索結果を絞り込むために、ジャンル選択ウインドウＧ３２において、ユーザは、ジャンル項目を選択することができる。ここで、ＶＯＤ検索画面Ｇ３０には、関連サービスとして、ＯＸＯＸＴＶ、ライトＴＶ、ネットＴＶの各関連サービス名が表示されている。そして、ＯＸＯＸＴＶ、ライトＴＶ、ネットＴＶの各関連サービス名にはチェックボックスが併設されている。この例では、各チェックボックスにチェックが入っており、これは、それぞれの関連サービスが検索対象であることを意味している。
【００３７】
図３は、本実施形態に係る番組情報に関連する検索サービスおよび関連サービスの一例を示す。
表示部１０６の画像Ｇ４０は、情報バラエティ番組の番組情報の一例である。検索サービスのウインドウＧ４１は、画像Ｇ４０の出演者：ＸＸ花子Ｇ４２をユーザが選択すると表示される。検索サービスのウインドウＧ４１には、検索エンジン、ＶＯＤ検索Ｇ４１１、番組表検索、録画リスト検索、オンライン書籍サイト（ＳＫショップ）、オンラインファッションサイト（ＦＳ  ＯＬＳＨ）が表示される。
【００３８】
例えば、ユーザがＶＯＤ検索Ｇ４１１で出演者検索を行う場合、すなわち、ユーザがＶＯＤ検索Ｇ４１１を選択した場合、ユーザ端末装置１は、ＵＲＬ（ユニフォームリソースロケータ：Ｕｎｉｆｏｒｍ  Ｒｅｓｏｕｒｃｅ  Ｌｏｃａｔｏｒ）Ｇ４３で示されるインターネットサイト（ｈｔｔｐ：／／ｖｏｄｓｅａｒｃｈ.ＸＸＸｏｏｏ.ｊｐ／？ｃａｓｔ＝１）で出演者検索を行う。また、ユーザがオンライン書籍サイト：ＳＫショップＧ４１２を選択した場合、ユーザ端末装置１は、ＵＲＬＧ４４（ｈｔｔｐ：／／ｂｏｏｋｓ.ＸＸＸｐｐｐ.ｊｐ／ｓｅａｒｃｈ）で示されるインターネットサイトで出演者：ＸＸ花子Ｇ４２に関連する書籍検索を行う。
【００３９】
図４は、本実施形態に係るユーザ端末装置１の構成の一例を示すブロック図である。
ユーザ端末装置１は、位置情報取得部１０１と、端末装置情報取得部１０２と、検索条件決定部１０３と、番組情報取得部１０４と、キーワード取得部１０５と、表示部１０６と、提示サービス決定部１０７と、基本機能部１０８と、通信部１０９と、を含んで構成される。ユーザ端末装置１は、その他に、公知の機能部材を備える。
【００４０】
位置情報取得部１０１は、ユーザ端末装置１の位置情報を取得する。例えば、位置情報取得部１０１は、予めユーザによって設定される郵便番号などの地域情報、放送エリア情報などから、位置情報を取得する。なお、本実施形態の位置情報取得部１０１は、郵便番号を用いて位置情報を取得しているが、ネットワークＩＤなどを用いて位置情報を取得してもよいし、公知の位置情報取得技術を用いて位置情報を取得してもよい。位置情報取得部１０１は、取得したユーザ端末装置１の位置情報を検索条件決定部１０３に出力する。位置情報取得部１０１は、取得したユーザ端末装置１の位置情報を、通信部１０９を介して検索情報管理サーバ装置２（図１）に送信する。
【００４１】
端末装置情報取得部１０２は、ユーザ端末装置１に関する情報を取得する。ここで、ユーザ端末装置１に関する情報とは、製品の型番、性能、ＣＰＵ（シーピーユー：Ｃｅｎｔｒａｌ  Ｐｒｏｃｅｓｓｉｎｇ  Ｕｎｉｔ）のクロック数、機能などの情報である。ここで、機能とは、例えば、Ｗｅｂブラウザ機能や動画プレイヤー機能、決済機能などの機能であるが、本発明はこれに限定されない。また、該機能は、ソフトウェアにおける機能であってもよいし、ハードウェアにおける機能であってもよい。端末装置情報取得部１０２は、取得したユーザ端末装置１に関する情報を検索条件決定部１０３に出力する。端末装置情報取得部１０２は、また、取得したユーザ端末装置１に関する情報を、通信部１０９を介して検索情報管理サーバ装置２に送信する。
【００４２】
検索条件決定部１０３は、位置情報取得部１０１、端末装置情報取得部１０２から位置情報、およびユーザ端末に関する情報が入力されると、検索に用いる検索条件を決定する。具体的には、検索条件決定部１０３は、位置情報を用いて、表示部１０６に表示する検索サービス、関連サービスの対象地域（エリア）の条件を作成する。検索条件決定部１０３は、ユーザ端末装置１に関する情報を用いて、検索サービス、関連サービスを提示するための必須の機能・性能、または推奨の機能・性能の条件を作成する。検索条件決定部１０３は、決定した検索条件を提示サービス決定部１０７に出力する。
【００４３】
番組情報取得部１０４は、通信部１０９から入力された視聴ランキング、番組表、録画リスト、番組情報提供会社などから番組情報を取得する。ここで、番組情報とは、例えば、番組タイトル、番組ジャンル、番組コード、出演者の名前、関連情報など情報のことである。番組情報取得部１０４は、取得した番組情報をキーワード取得部１０５に出力する。
【００４４】
キーワード取得部１０５は、ユーザからの操作信号、例えば、テレビのリモコン（図示せず）のカーソルキーの操作信号およびテレビリモコンの決定ボタンを押下による操作信号などを受け付ける。キーワード取得部１０５は、番組情報取得部１０４から番組情報が入力されると、番組情報から検索サービス、関連サービスを絞り込むためのコンテンツに関するキーワードを取得する。キーワード取得部１０５は、取得したキーワードを、通信部１０９を介し検索情報管理サーバ装置２に送信する。なお、本実施形態におけるキーワード取得部１０５は、コンテンツに関するキーワードを取得しているが、コンテンツ以外の他のキーワードであってもよい。
【００４５】
表示部１０６は、ディスプレイなどを有しており提示サービス決定部１０７で決定された提示サービスの表示を行う。表示部１０６は、また、基本機能部１０８から入力された映像データなどを表示する。
提示サービス決定部１０７は、検索条件決定部１０３に入力された検索条件と、通信部１０９を介して検索情報管理サーバ装置２から受信したキーワードに関連する検索サービス、および関連サービスとに基づいて、提示する検索サービス、および関連サービス（以下、「提示サービス」と言う。）を決定する。
【００４６】
具体的には、ユーザ端末装置１の位置情報を用いて、表示部１０６に表示する対象地域に対応する提示サービスを絞り込む。例えば、提示サービス決定部１０７は、東京エリアにあるユーザ端末装置１に東京エリアが対応する提示サービスを表示部１０６に表示させる。提示サービス決定部１０７は、また、東京エリアにあるユーザ端末装置１に、九州エリアが対応する提示サービスをその表示部１０６に表示させないか、または表示アイコンを不可視化させる。なお、提示サービス決定部１０７は、ユーザにあえて対応エリアではない旨を添えて、提示サービスを表示部１０６に表示させても良い。これにより、ユーザに、条件が合えば該ユーザも利用可能であると通知することができ、継続的に提供サービスを利用してもらうことがかのである。提示サービス決定部１０７は、決定した提示サービスを表示部１０６に出力する。
【００４７】
基本機能部１０８は、デジタルチューナー、インターネットブラウザ、動画プレイヤー、入出力モジュール、ネットワークモジュール、ＯＳ（オペレーションシステム：Ｏｐｅｒａｔｉｏｎ  Ｓｙｓｔｅｍ）、ＣＰＵなどを含んでいるが、各々の説明は省略する。また、基本機能部１０８は、公知のテレビジョン受像機の機能を有している。基本機能部１０８は、ユーザが入力したキーワードを、通信部１０９を介して検索情報管理サーバ装置２および情報検索サーバ装置３に送信して、それらの部材において検索を行わせる。基本機能部１０８は、検索情報管理サーバ装置２、および情報検索サーバ装置３から検索結果を受信すると、表示部１０６に検索結果を表示する。
【００４８】
通信部１０９は、検索情報管理サーバ装置２および情報検索サーバ装置３と通信を行う。通信部１０９は、位置情報取得部１０１から入力されたユーザ端末装置１の位置情報を検索情報管理サーバ装置２に送信する。通信部１０９は、端末装置情報取得部１０２から入力されたユーザ端末装置１に関する情報を検索情報管理サーバ装置２に送信する。通信部１０９は、キーワード取得部１０５から入力されたコンテンツに関するキーワードを検索情報管理サーバ装置２に送信する。通信部１０９は、例えば、番組情報や番組表などのデータを情報提供会社のサーバ装置（図示せず）から受信する。通信部１０９は、コンテンツに関するキーワード対して検索された提示サービスを、情報検索サーバ装置３から受信する。
【００４９】
図５は、本実施形態に係る検索情報管理サーバ装置２の構成の一例を示すブロック図である。
検索情報管理サーバ装置２は、通信部２０１と、番組情報収集部２０２と、検索エンジン決定部２０３と、記憶部２０４と、キーワード関連付け部２１と、を含んで構成される。検索情報管理サーバ装置２は、その他に公知のサーバ装置の機能を有するが、その説明は省略する。
【００５０】
通信部２０１は、ユーザ端末装置１、および情報検索サーバ装置３と通信網Ｎ１（図１）を介して通信する。通信部２０１は、コンテンツに関するキーワードをユーザ端末装置１から受信する。通信部２０１は、ユーザ端末装置１の位置情報をユーザ端末装置１から受信する。通信部２０１は、ユーザ端末装置１に関する情報をユーザ端末装置１から受信する。通信部２０１は、番組情報を番組情報提供会社のサーバ装置から受信する。通信部２０１は、検索エンジン決定部２０３から入力されたキーワードに関連づけられた検索情報を情報検索サーバ装置３（図１）に送信する。
【００５１】
番組情報収集部２０２は、通信部２０１を介して、番組情報提供会社から番組情報を収集する。番組情報収集部２０２は、収集した番組情報をキーワード関連付け部２１に出力する。
検索エンジン決定部２０３は、キーワードに基づいて、複数の検索サービスの中から一部の検索サービスを選択する。検索エンジン決定部２０３は、キーワードに関連付けられて記憶されている記憶部２０４からキーワードに関連する情報を読み出す。検索エンジン決定部２０３は、キーワードに関連付けられた検索サービスと、ジャンルと、に基づいて検索エンジンで検索するジャンルを決定する。検索エンジン決定部２０３は、検索サービスの中からキーワードに関連する関連サービスを決定する。検索エンジン決定部２０３は、ユーザ端末装置１に関する情報を用いて関連サービスを決定する。
【００５２】
検索エンジン決定部２０３は、キーワードと、地域と、が関連付けられた地域情報と、ユーザ端末装置１の位置情報取得部１０１で取得されたユーザ端末装置１の位置情報と、を比較する。検索エンジン決定部２０３は、地域情報と、ユーザ端末装置１の位置情報が異なる場合、表示部１０６に表示する表示態様を変更する。検索エンジン決定部２０３は、提示する検索サービスが検索エンジンであった場合、オプションを用いて、提示する検索サービスを決定する。検索エンジン決定部２０３は、提示する検索サービスが検索エンジンであった場合、必須要件対応する記号（Ｍ）および推奨要件対応する記号（Ｒ）を用いた優先度をオプションに設定し、提示する検索サービスを決定する。
【００５３】
検索エンジン決定部２０３は、表示部１０６が検索エンジンを提示する際に、優先度に関する情報に基づいて、表示する表示態様を変更する。ここで、優先度に関する情報は、例えば、検索エンジンで検索された結果のヒット件数に関する情報のことである。具体的には、検索エンジン決定部２０３は、複数の検索サービスで検索を行い、検索された結果のヒット件数が多い順に検索サービスのアイコンの表示を変更したり、ヒット件数に応じて検索サービスのアイコンの大きさを変更したりする。検索エンジン決定部２０３は、コンテンツ情報をオプションとして関連サービスに通知することで、コンテンツに関するコメントまたは広告を表示部１０６に表示する表示態様を変更する。
【００５４】
記憶部２０４は、キーワード関連付け部２１において、キーワードに関連づけられた検索サービスを記憶する。記憶部２０４は、キーワード関連付け部２１において、キーワードに関連づけられた関連サービスを記憶する。記憶部２０４は、キーワード関連付け部２１において、キーワードに関連づけられた検索オプションを記憶する。記憶部２０４は、キーワード関連付け部２１において、キーワードに関連づけられた選定条件を記憶する。記憶部２０４は、キーワード関連付け部２１において、キーワードに関連づけられた機能要件を記憶する。記憶部２０４は、キーワード関連付け部２１において、キーワードに関連づけられた優先度を記憶する。
【００５５】
キーワード関連付け部２１は、番組情報収集部２０２から番組情報が入力されると、番組のジャンルに関連するデフォルトの検索サービス、検索オプション、関連サービスのテーブルを作成する。キーワード関連付け部２１は、ユーザ端末装置１のキーワード取得部１０５において取得したコンテンツに関するキーワードが入力されると、キーワードに関連する検索サービス、検索オプション、関連サービスなどのテーブルを作成する。キーワード関連付け部２１は、作成したキーワードに対応する検索サービスと、関連サービスと、検索オプションと、選定条件と、機能要件と、優先度と、が関連づけられたテーブルを記憶部２０４に記憶させる。キーワード関連付け部２１の詳細な説明は、後述する。
【００５６】
図６は、本実施形態に係るキーワード関連付け部２１が作成する番組情報に基づく番組ジャンルに関連付けられたデフォルト検索サービス、検索オプション、および関連サービスの一例を示すテーブルＴ１０である。
図示するようにテーブルＴ１０は、番組ジャンル、デフォルト検索サービス、検索オプション、および関連サービスの各項目の列を有している。テーブルＴ１０は、番組ジャンル毎にデフォルト検索サービスの種類、検索オプションのコード、関連サービスの名称またはサイト名の情報が格納される行と列からなる２次元の表形式のデータである。例えば、番組ジャンルが「ニュース」の場合、デフォルト検索サービスは「Ｗｅｂ」、検索オプションは、「ｏｐ＝ｘ０００６」、関連サービスは「ニュース」である。
【００５７】
キーワード関連付け部２１は、番組情報収集部２０２から番組情報が入力されると、該番組情報から番組ジャンルを抽出する。キーワード関連付け部２１は、抽出した番組ジャンルに関連するデフォルトの検索サービスを決定する。例えば、キーワード関連付け部２１は、複数の検索サービスで各々検索を行いヒット数の多いものを検索サービスに決定する。キーワード関連付け部２１は、決定したデフォルトの検索サービス、例えば、Ｗｅｂ、ＶＯＤなどの情報をテーブルＴ１０に記憶する。
【００５８】
具体的には、番組ジャンルが「ドラマ」であった場合、キーワード関連付け部２１は、デフォルトの検索サービスに「Ｗｅｂ」、「ＶＯＤ」、または「シグコン人物検索」と決定する。ここで、デフォルト検索サービスに複数の検索サービスが記載されているとき、該複数の検索サービスの中からいずれか少なくとも１つを決定するが、該複数の検索サービスの中から１つ以上を検索サービスとして決定してもよいし、該複数の検索サービス全てを検索サービスと決定してもよい。
【００５９】
テーブルＴ１０に示す、記号「｜」は、「または」を意味する記号であり、例えば、「Ｗｅｂ｜ＶＯＤ」と記載されているとき、「ＷｅｂまたはＶＯＤ」を意味する。また、テーブルＴ１０に示す、記号「−」は、「なし」を意味する記号である。さらに、テーブルＴ１０に示すように、例えば、番組ジャンル「ドラマ」に対応する複数のデフォルト検索サービスに対し「Ｗｅｂ」に対応する検索オプションが「−」すなわち、「なし」、「ＶＯＤ」に対応する検索オプションが「ｃａｓｔ＝１」、「シグコン人物検索」に対応する検索オプションが「ｐ＝ｄｒａｍａ」である。
【００６０】
キーワード関連付け部２１は、抽出した番組ジャンルに関連する検索オプションを決定する。具体的には、キーワード関連付け部２１は、抽出した番組ジャンルがスポーツであった場合、スポーツ、野球、サッカーなどの検索オプションを決定する。
【００６１】
キーワード関連付け部２１は、決定した検索オプション、例えば、オプションコード、ジャンルコードなどの情報をテーブルＴ１０（図６）に記憶する。キーワード関連付け部２１は、抽出した番組ジャンルに関連する関連サービスを決定する。具体的には、キーワード関連付け部２１は、キーワードがニュースであった場合、ニュースを関連サービスに決定する。
【００６２】
キーワード関連付け部２１は、決定した関連サービス、例えば、関連サービスの名称、サイトなどの情報をテーブルＴ１０に記憶する。テーブルＴ１０に図示されたデフォルト検索サービス列中の記号（Ｍ）、および記号（Ｒ）は、必須要件、推奨要件を表しており、提示するときの優先度を表している。なお、本実施形態におけるキーワード関連付け部２１は、優先度をアルファベットで表しているが、数字などで優先度を表してもよいし、フラグなどで優先度を表してもよい。
【００６３】
図７は、本実施形態に係るキーワード関連付け部２１が作成するキーワードに関連づけられた検索サービス、検索オプション、および関連サービスの一例を示すテーブルＴ２０である。
図示するようにテーブルＴ２０は、キーワード、検索サービス、検索オプション、および関連サービスの各項目の列を有している。テーブルＴ２０は、キーワード毎に検索サービス、検索オプション、関連サービスの情報が格納される行と列からなる２次元の表形式のデータである。例えば、キーワードが「ＯＯ花子」の場合、検索サービスは「ｋ検索サイト｜ＶＯＤ」であり、検索オプションは「人名｜出演者｜スタッフ」であり、関連サービスは「ＯＸＯＸＴＶ、ライトＴＶ、ネットＴＶ」である。テーブルＴ２０に示す、記号「｜」は、「または」を意味する。また、テーブルＴ２０に示す、記号「＆」は、「かつ」を意味する。また、テーブルＴ２０に示す、記号「，」と「、」は「もしくは」を意味する。
【００６４】
キーワード関連付け部２１は、ユーザ端末装置１からキーワードが入力されると、該キーワードに関連する検索サービスを決定する。キーワード関連付け部２１は、決定した検索サービス、例えば、Ｗｅｂサイト名、ＵＲＬ、ＶＯＤなどの情報をテーブルＴ２０に記憶する。キーワード関連付け部２１は、キーワードに関連する検索オプションを決定する。具体的には、テーブルＴ２０に示す、キーワードが「春キャベツ」である場合の検索オプションは、「春」かつ「野菜」、もしくは、「緑」または「副菜」を検索オプションとして決定する。キーワード関連付け部２１は、決定した検索オプション、例えば、オプションコード、ジャンルコードなどの情報をテーブルＴ２０に記憶する。キーワード関連付け部２１は、キーワードに関連する関連サービスを決定する。
【００６５】
キーワード関連付け部２１は、決定した関連サービス、例えば、関連サービスの名称、ＵＲＬなどの情報をテーブルＴ２０に記憶する。テーブルＴ２０に図示された記号（Ｍ）、および記号（Ｒ）は、それぞれ必須要件、推奨要件を表しており、提示するときの優先度を表している。具体的には、キーワード関連付け部２１は、パリというキーワードに対し、必須要件として優先度（Ｍ）が設定された地図サイトのＵＲＬ：「ｍａｐｓ.ｃｈｉｚｕｄｅｓｕ.ｃｏｍ」を、検索サービスとして決定する。キーワード関連付け部２１は、経度、緯度などの情報を検索オプションとして決定する。キーワード関連付け部２１は、旅行会社などを関連サービスとして決定する。
【００６６】
なお、本実施形態におけるキーワード関連付け部２１は、コンテンツに関するキーワードに対し、検索サービス、関連サービスなどの関連付けを行っているが、キーワードに対する検索サービス、関連サービスの関連付けを検索情報管理サーバ装置２におけるオペレーション画面において手動で行って、記憶部２０４に記憶しておいてもよいし、または外部の記憶部からキーワードに関連づけられた検索サービスおよび関連サービスを読み出してもよい。
【００６７】
キーワード関連付け部２１は、通信部２０１を介してユーザ端末装置１からキーワードが入力されると、該キーワードに複数の検索サービスの中から一部の検索サービスを決定する。キーワード関連付け部２１は、決定したキーワードに関連する検索サービスをテーブルＴ２０に記憶する。キーワード関連付け部２１は、キーワードに関連する検索オプションを、例えば、テーブルＴ２０を参照して決定する。キーワード関連付け部２１は、決定した検索オプションをテーブルＴ２０に記憶する。
【００６８】
キーワード関連付け部２１は、キーワードに関連する関連サービスを、例えば、テーブルＴ２０を決定する。キーワード関連付け部２１は、決定した関連サービスをテーブルＴ２０に記憶する。例えば、キーワード関連付け部２１は、キーワード：ＯＯ花子に関連する検索サービスとして、Ｋ検索サイト、またはＶＯＤと決定する。
【００６９】
キーワード関連付け部２１は、キーワード：ＯＯ花子に関連する検索オプションとして、人名、出演者、またはスタッフと決定する。キーワード関連付け部２１は、キーワード：ＯＯ花子に関連する関連サービスとしてＯＸＯＸＴＶと、ライトＴＶと、ネットＴＶと、を決定する。ここで、本実施形態における、キーワード関連付け部２１は、キーワードに対して検索サービス、検索オプション、関連サービスを決定しているが、番組毎に検索サービス、検索オプション、関連サービスを決定してもよい。
【００７０】
キーワード関連付け部２１は、検索サービス関連付け部２１１と、関連サービス関連付け部２１２と、検索オプション関連付け部２１３と、選定条件関連付け部２１４と、機能要件設定部２１５と、優先度設定部２１６と、を含んで構成される。
【００７１】
検索サービス関連付け部２１１は、通信部２０１を介してユーザ端末装置１から入力されたコンテンツに関するキーワードと、番組情報収集部２０２から入力された番組情報と、に対し複数ある検索サービス各々において検索サービスＵＲＬ、名称、コード、ジャンルなどの情報の関連付けを行う。検索サービス関連付け部２１１は、各々の検索サービスＵＲＬに関連づけた情報を記憶部２０４に記憶させる。検索サービス関連付け部２１１は、キーワードを関連サービス関連付け部２１２に出力する。
【００７２】
関連サービス関連付け部２１２は、キーワードに関連づけられる複数ある関連サービス各々において関連サービスＵＲＬ、名称、コード、ジャンルなどの情報の関連付けを行う。関連サービス関連付け部２１２は、各々の関連サービスＵＲＬに関連づけた情報を記憶部２０４に記憶させる。関連サービス関連付け部２１２は、キーワードを検索オプション関連付け部２１３に出力する。
【００７３】
検索オプション関連付け部２１３は、キーワードに対応する検索オプション、例えば、人名：ＯＯ花子ならば人名、出演者、スタッフ、作家などの検索オプションを関連付ける。検索オプション関連付け部２１３は、キーワードに関連づけた検索オプションを記憶部２０４に記憶させる。検索オプション関連付け部２１３は、キーワードを選定条件関連付け部２１４に出力する。
【００７４】
選定条件関連付け部２１４は、キーワードに対し、放送エリアなどによって提示を選定する地域情報の設定と、検索サービスを選定するためのオプションの設定とを行う。選定条件関連付け部２１４は、キーワードに対し、ジャンル、検索サービスＵＲＬ各々にオプション、地域情報を関連付ける。ここで、本実施形態における選定条件関連付け部２１４は、地域情報を地域、都市名などで記載しているが、郵便番号などで記載してもよいし、郵便番号形式のコードなどを使って記載してもよい。選定条件関連付け部２１４は、キーワードに関連づけたオプション、地域情報を、記憶部２０４に記憶させる。選定条件関連付け部２１４は、キーワードを機能要件設定部２１５に出力する。
【００７５】
機能要件設定部２１５は、キーワードに対し、検索サービスＵＲＬ各々に必要な機能、例えば、ＶＯＤを視聴するには、ＶＯＤプレイヤーを必須要件として設定し、フラッシュビデオを推奨要件として設定する。機能要件設定部２１５は、ショッピングサイトであれば、決済機能を搭載したユーザ端末装置などの要件を設定する。ユーザ端末装置に必要な機能の記載には、例えば、モデル名（ｍｏｄｅｌ）、型番（Ｎｏ．）、ブラウザユーザーエージェント（ＵＡ）などを用いる。機能要件設定部２１５は、キーワードに関連づけて設定した機能要件を記憶部２０４に記憶させる。機能要件設定部２１５は、キーワードを優先度設定部２１６に出力する。
【００７６】
優先度設定部２１６は、キーワードに対し表示部１０６に表示させる検索サービス、検索オプションなどに順位付けを行う。例えば、表示部１０６に必ず表示させる項目には、必須であることを示すものを記載し、表示部１０６への表示させることを推奨する項目には、推奨であることを示すものを記載し、それ以外の項目には、何も記載しないなどの方法で順位付けを行う。なお、本実施形態における優先度設定部２１６は、アルファベットを用いて必須項目に（Ｍ）および推奨項目に（Ｒ）と記載して順位付けを行っているが、数字や記号を用いて記載して順位付けを行ってもよい。
【００７７】
図８は、本実施形態に係る検索サービスにおける検索サービスＵＲＬとオプションとに関連づけられたロゴデータ、必須機能、推奨機能、対応端末、および地域の一例を示すテーブルＴ３０、Ｔ３１、Ｔ３２である。
図示するようにテーブルＴ３０は、検索サービスＵＲＬ、名称、コード、ジャンル、ロゴデータ、必須機能、推奨機能、対応端末、および地域の情報が格納される、行と列からなる２次元の表形式のデータである。
テーブルＴ３０、Ｔ３１、に示す、記号「｜」は、「または」を意味する。
【００７８】
図示するようにテーブルＴ３１は、検索サービスＵＲＬが「ｓｅａｒｃｈ.Ｋｆｉｎｄ.ｃｏ.ｊｐ」である場合のオプションを示すテーブルである。テーブルＴ３１は、ジャンル、オプションの情報が格納される、行と列からなる２次元の表形式のデータである。
図示するようにテーブルＴ３２は、検索サービスＵＲＬが「ｖｏｄｓｅａｒｃｈＸＸＸｏｏｏ.ｊｐ」である場合のオプションを示すテーブルである。テーブルＴ３２は、ジャンル、オプションの情報が格納される、行と列からなる２次元の表形式のデータである。
【００７９】
検索エンジン決定部２０３は、通信部２０１から取得したキーワード対応する情報を記憶部２０４から読み出す。読み出す情報は、例えば、検索サービスＵＲＬと、検索ジャンルに記載されている名称、コード、またはジャンルである。検索エンジン決定部２０３は、例えば、キーワードに関連付けられた検索サービスＵＲＬと、検索ジャンルに記載されている名称、コード、またはジャンルのいずれかの情報と、に基づいて検索エンジンで検索するジャンルを決定する。検索エンジン決定部２０３は、提示する検索サービスが検索エンジンであった場合、オプションを用いて、提示する検索サービスを決定する。
【００８０】
例えば、読み出した検索サービスＵＲＬが「ｓｅａｒｃｈ.Ｋｆｉｎｄ.ｃｏ.ｊｐ」であった場合、図８の例において、検索エンジン決定部２０３は、テーブルＴ３１に示すようにキーワードに関連するジャンル「Ｗｅｂ」を抽出する。検索エンジン決定部２０３は、テーブルＴ３１が示すように抽出したジャンル「Ｗｅｂ」から、オプションを抽出する。キーワードが「ＯＯ花子」であった場合、テーブルＴ３１におけるジャンル「人名｜出演者｜スタッフ」に該当するオプション「ｏｐ＝ｘ０００１」を抽出する。
【００８１】
例えば、読み出した検索サービスＵＲＬが「ｖｏｄｓｅａｒｃｈ.ＸＸＸｏｏｏ.ｊｐ」であった場合、図８の例において、検索エンジン決定部２０３は、テーブルＴ３２に示すようにキーワードに関連するジャンルを抽出する。検索エンジン決定部２０３は、テーブルＴ３２が示すように抽出したジャンルからオプションを抽出する。キーワードが「ＯＯ花子」であった場合、テーブルＴ３２におけるジャンル「出演者」に該当するオプション「ｃａｓｔ＝１」を抽出する。
【００８２】
検索エンジン決定部２０３は、提示する検索サービスが検索エンジンであった場合、必須機能および推奨機能、対応端末の情報に基づき、提示する検索サービスを決定する。検索エンジン決定部２０３は、キーワードに地域情報が関連付けられている場合、該当しない地域にあるユーザ端末装置１に検索結果を表示しない。検索エンジン決定部２０３は、提示する検索サービスを決定したとき、ユーザ端末装置１に表示するロゴデータに該当するロゴデータをテーブルＴ３０のロゴデータ項目列のアドレスが示す画像を表示させる。
【００８３】
図９は、本実施形態に係る関連サービスにおける関連サービスＵＲＬとオプションとに関連づけられたロゴデータ、必須機能、推奨機能、対応端末、および地域の一例を示すテーブルＴ４０である。
図示するようにテーブルＴ４０は、関連サービスＵＲＬ、名称、コード、ジャンル、ロゴデータ、必須機能、推奨機能、対応端末、および地域の各項目の列を有している。テーブルＴ４０は、関連サービスＵＲＬ、名称、コード、ジャンル、ロゴデータ、必須機能、推奨機能、対応端末、および地域の情報が格納される、行と列からなる２次元の表形式のデータである。
【００８４】
検索エンジン決定部２０３は、キーワードに関連付けられて記憶されている記憶部２０４からキーワードに関連する情報を読み出す。検索エンジン決定部２０３は、キーワードに関連付けられた関連サービスＵＲＬと、検索ジャンルに記載されている名称、コード、またはジャンルのいずれかの情報と、に基づいて検索エンジンで検索するジャンルを決定する。
【００８５】
検索エンジン決定部２０３は、提示する関連サービスが検索エンジンであった場合、必須機能および推奨機能、対応端末の情報に基づき、提示する関連サービスを決定する。検索エンジン決定部２０３は、キーワードに地域情報が関連付けられている場合、該当しない地域にあるユーザ端末装置１に検索結果を表示しない。検索エンジン決定部２０３は、提示する関連サービスを決定したとき、ユーザ端末装置１に表示するロゴデータに該当するロゴデータをテーブルＴ４０のロゴデータ項目列のアドレスが示す画像を表示させる。
【００８６】
図１０は、本実施形態に係る情報検索サーバ装置３の構成の一例を示す概略ブロック図である。
情報検索サーバ装置３は、通信部３０１と、ＶＯＤ検索部３０２と、レシピ検索部３０３と、地図検索部３０４と、商品検索部３０５と、検索サイト検索部３０６と、を含んで構成される。情報検索サーバ装置３は、その他に公知のサーバ装置の機能を有するが、その説明は省略する。
【００８７】
通信部３０１は、ユーザ端末装置１、および検索情報管理サーバ装置２と通信する。通信部３０１は、コンテンツに関するキーワード、該キーワードを検索させる検索エンジンの情報を検索情報管理サーバ装置２から受信する。通信部３０１は、検索結果を検索情報管理サーバ装置２に送信する。
【００８８】
ＶＯＤ検索部３０２は、通信部３０１が受信したコンテンツに関するキーワード、および該キーワードを検索させる検索エンジンの情報を用いて、検索エンジンの情報がＶＯＤに関する情報であった場合、ＶＯＤ検索を行う。具体的には、ＶＯＤ検索部３０２は、検索エンジン決定部２０３で指定された検索オプションを用いて検索条件の選定を行い、キーワードに対してＶＯＤ検索を行う。ＶＯＤ検索部３０２は、ＶＯＤに関する検索結果を、通信部３０１を介し、検索情報管理サーバ装置２に送信する。
【００８９】
レシピ検索部３０３は、通信部３０１が受信したコンテンツに関するキーワード、および該キーワードを検索させる検索エンジンの情報を用いて、検索エンジンの情報がレシピ（料理の調理法）に関する情報であった場合、レシピ検索を行う。具体的には、レシピ検索部３０３は、検索エンジン決定部２０３で指定された検索オプションを用いて検索条件の選定を行い、キーワードに対してレシピ検索を行う。レシピ検索部３０３は、レシピに関する検索結果を、通信部３０１を介し、検索情報管理サーバ装置２に送信する。
【００９０】
地図検索部３０４は、通信部３０１が受信したコンテンツに関するキーワード、および該キーワードを検索させる検索エンジンの情報を用いて、検索エンジンの情報が地図に関する情報であった場合、地図検索を行う。具体的には、地図検索部３０４は、検索エンジン決定部２０３で指定された検索オプションを用いて検索条件の選定を行い、キーワードに対して地図検索を行う。地図検索部３０４は、地図に関する検索結果を、通信部３０１を介し、検索情報管理サーバ装置２に送信する。
【００９１】
商品検索部３０５は、通信部３０１が受信したコンテンツに関するキーワード、および該キーワードを検索させる検索エンジンの情報を用いて、検索エンジンの情報が商品に関する情報であった場合、商品検索を行う。具体的には、商品検索部３０５は、検索エンジン決定部２０３で指定された検索オプションを用いて検索条件の選定を行い、キーワードに対して商品検索を行う。商品検索部３０５は、商品に関する検索結果を、通信部３０１を介し、検索情報管理サーバ装置２に送信する。
【００９２】
検索サイト検索部３０６は、通信部３０１が受信したコンテンツに関するキーワード、および該キーワードを検索させる検索エンジンの情報を用いて、検索エンジンの情報が検索サイトに関する情報であった場合、検索サイト検索を行う。具体的には、検索サイト検索部３０６は、検索エンジン決定部２０３で指定された検索オプションを用いて検索条件の選定を行い、キーワードに対して検索サイトで検索を行う。検索サイト検索部３０６は、検索サイトに関する検索結果を、通信部３０１を介し、検索情報管理サーバ装置２に送信する。
【００９３】
なお、本実施形態における情報検索サーバ装置３は、ＶＯＤ検索、レシピ検索、地図検索、商品検索、検索サイト検索を各々行っているが、キーワードが複数の検索エンジンの情報を含むとき複数の検索サービスで検索を行ってもよいし、その他の検索サービスを用いて検索を行ってもよい。
【００９４】
図１１は、本実施形態に係る検索サービス、および関連サービスを提示する動作を説明するフローチャートである。
ユーザ端末装置１の表示部１０６は、番組情報取得部１０４が取得した番組情報を表示する。ユーザが表示された番組情報から一つのキーワードをテレビリモコンの操作により選択すると（Ｓ１０１）、キーワード取得部１０５は、該キーワードをコンテンツに関するキーワードとして、通信部１０９を介して検索情報管理サーバ装置２に送信する。
【００９５】
検索情報管理サーバ装置２の検索エンジン決定部２０３は、ユーザが選択したキーワードに対し、記憶部２０４からキーワードに関連づけられた検索サービス、検索オプション、関連サービスを読み出す（Ｓ１０２）。
検索エンジン決定部２０３は、記憶部２０４から読み出した検索情報に対し、キーワードに関連づけられた検索サービスが指定されているか否かを、例えば、テーブルＴ１０を参照して、判定する（Ｓ１０３）。キーワードに検索サービスが関連付けられていない場合（Ｓ１０３−Ｎｏ）、検索エンジン決定部２０３は、デフォルト検索サービスを検索サービスとして決定する（Ｓ１０４）。
【００９６】
一方、キーワードに検索サービスが関連付けられている場合（Ｓ１０３−Ｙｅｓ）、名称、コード、ジャンルなどが指定されていれば、検索エンジン決定部２０３は、名称、コード、ジャンルに関するテーブル、例えば、テーブルＴ３０を参照して、検索サービスを抽出する（Ｓ１０５）。検索サービスにＵＲＬが指定されていれば、検索エンジン決定部２０３は、検索サービスＵＲＬが指定するアドレスを検索サービスとして決定する（Ｓ１０６）。
【００９７】
検索エンジン決定部２０３は、キーワードに関連づけられた検索サービスに検索オプションが指定されているか否かを判定する（Ｓ１０７）。検索オプションが指定されていない場合（Ｓ１０７−Ｎｏ）、検索オプションがないとする（Ｓ１０８）。一方。検索オプションが指定されている場合（Ｓ１０７−Ｙｅｓ）、ジャンルが指定されていれば、検索エンジン決定部２０３は、ジャンルに関するテーブル、例えば、テーブルＴ３０を参照して検索オプションを抽出する（Ｓ１０９）。コードが指定されていれば、検索エンジン決定部２０３は、検索サービスＵＲＬにコードを付加する（Ｓ１１０）。
【００９８】
検索エンジン決定部２０３は、キーワードに関連づけられた検索サービスに関連サービスが指定されているか否かを判定する（Ｓ１１１）。関連サービスが指定されていない場合（Ｓ１１１−Ｎｏ）、関連サービスがないとする（Ｓ１１２）。一方。関連サービスが指定されている場合（Ｓ１１１−Ｙｅｓ）、名称、コード、ジャンルが指定されていれば、検索エンジン決定部２０３は、名称、コード、ジャンルに関するテーブル、例えば、テーブルＴ３０を参照して関連サービスを決定する（Ｓ１１３）。関連サービスにＵＲＬが指定されていれば、検索エンジン決定部２０３は、関連サービスＵＲＬが指定するアドレスを関連サービスとして決定する（Ｓ１１４）。
検索エンジン決定部２０３は、情報検索サーバ装置３に検索を実行させ、検索サービス、および関連サービスのアイコンをユーザ端末装置１に表示させる（Ｓ１１５）。
【００９９】
図１２は、本実施形態に係る検索サービス、および関連サービスの提示する方法の一例を示す概念図である。
ユーザ端末装置１の表示部１０６に表示される画像Ｇ５０は、キーワードＧ５２、検索サービスのウインドウＧ５１、検索サイトのアイコン５１１、オンラインブックショップのアイコン５１２、人名検索サイトのアイコンＧ５１３を含んでいる。
画像Ｇ５０は、情報バラエティＯＯ△△に関する番組情報の一例である。ユーザは、番組情報内のキーワードを選択する。
【０１００】
例えば、出演者の一人であるクリスタルＧ５２を選択したとき、検索エンジン決定部２０３は、検索サービス、関連サービスの選定を行う。提示サービス決定部１０７は、検索エンジン決定部２０３で選定された検索サービス、関連サービスに対して、表示部１０６に表示させる提示サービスの選定を行う。
【０１０１】
提示サービス決定部１０７は、提示サービスを表示部１０６に表示させる。表示部１０６は、検索サービスのウインドウＧ５１が表示される。検索サービスのウインドウＧ５１には、検索サービス、関連サービス、例えば、検索サイトのアイコンＧ５１１、オンラインブックショップのアイコンＧ５１２、および人名検索サイトのアイコンＧ５１３が表示される。検索サービスのウインドウＧ５１は、それぞれのアイコンの下に、情報検索サーバ装置３で検索され、ヒットした件数が表示される。提示サービス決定部１０７は、ヒット件数を用いて優先度を設定し、アイコンの大きさをヒット数に応じて変更している。
【０１０２】
図１３は、本実施形態に係る検索サービス、および関連サービスの提示する方法の別の例を示す概念図である。
ユーザ端末装置１の表示部１０６に表示される画像Ｇ６０は、キーワードＧ６２、検索サービスのウインドウＧ６１、ネットスーパのアイコン６１１を含んでいる。
画像Ｇ６０は、情報バラエティＯＯ△△に関する番組情報の一例である。ユーザは、番組情報内のキーワードを選択する。例えば、関連情報の一つである卵Ｇ６２を選択したとき、検索エンジン決定部２０３は、検索サービス、関連サービスの選定を行う。
【０１０３】
提示サービス決定部１０７は、検索エンジン決定部２０３で選定された検索サービス、関連サービスに対して、表示部１０６に表示させる提示サービスの選定を行う。提示サービス決定部１０７は、提示サービスを表示部１０６に表示させる。表示部１０６は、検索サービスのウインドウＧ６１が表示される。検索サービスのウインドウＧ６１には、検索サービス、関連サービス、例えば、ネットスーパのアイコンＧ６１１、および複数の検索サイトのアイコンが表示される。ネットスーパの生鮮食品からキーワードである卵が検索され、提示サービス決定部１０７は、優先度を設定し、提示サービスのアイコンの大きさを変更している。
【０１０４】
図１４は、本実施形態に係る検索サービス、および関連サービスの提示する方法の別の例を示す概念図である。
ユーザ端末装置１の表示部１０６に表示される画像Ｇ７０は、キーワードＧ７２、検索サービスのウインドウＧ７１、地図サイトのアイコン７１１、フライト検索のアイコン７１２、Ｋ検索サイトのアイコンＧ７１３を含んでいる。
【０１０５】
画像Ｇ７０は、情報バラエティＯＯ△△に関する番組情報の一例である。ユーザは、番組情報内のキーワードを選択する。例えば、関連情報の一つであるパリＧ７２を選択したとき、検索エンジン決定部２０３は、検索サービス、関連サービスの選定を行う。提示サービス決定部１０７は、検索エンジン決定部２０３で選定された検索サービス、関連サービスに対して、表示部１０６に表示させる提示サービスの選定を行う。
【０１０６】
提示サービス決定部１０７は、提示サービスを表示部１０６に表示させる。表示部１０６は、検索サービスのウインドウＧ７１が表示される。検索サービスのウインドウＧ７１には、検索サービス、関連サービス、例えば、地図サイトのアイコンＧ７１１、フライト検索のアイコンＧ７１２、および検索サイトのアイコンＧ７１３が表示される。提示サービス決定部１０７は、キーワードパリに関する地図サイトのアイコンを表示するだけでなく、関連サービスとして、フライト検索サイトのアイコン、検索サイトのアイコンを表示している。
【０１０７】
図１５は、本実施形態に係る検索サービス、および関連サービスの提示する方法の別の例を示す概念図である。
ユーザ端末装置１の表示部１０６に表示される画像Ｇ８０は、キーワードＧ８２、検索サービスのウインドウＧ８１、ネットスーパのアイコン８１１を含んでいる。
画像Ｇ８０は、情報バラエティＯＯ△△に関する番組情報の一例である。ユーザは、番組情報内のキーワードを選択する。例えば、関連情報の一つである卵Ｇ８２を選択したとき、検索エンジン決定部２０３は、検索サービス、関連サービスの選定を行う。
【０１０８】
提示サービス決定部１０７は、検索エンジン決定部２０３で選定された検索サービスおよび関連サービスに対して、表示部１０６に表示させる提示サービスの選定を行う。提示サービス決定部１０７は、提示サービスを表示部１０６に表示させる。表示部１０６は、検索サービスのウインドウＧ８１が表示される。検索サービスのウインドウＧ８１には、検索サービス、関連サービス、例えば、ネットスーパのアイコンＧ８１１、複数の検索サイトのアイコンが表示される。ネットスーパが新規参入である場合、提示サービス決定部１０７は、新規であることを知らせるアイコンを表示させる。
【０１０９】
図１６は、本実施形態に係る検索サービス、および関連サービスの提示する方法の別の例を示す概念図である。
ユーザ端末装置１の表示部１０６に表示される画像Ｇ９０は、キーワードＧ９２、検索サービスのウインドウＧ９１、ネットスーパのアイコン９１１を含んでいる。
【０１１０】
画像Ｇ９０は、情報バラエティＯＯ△△に関する番組情報の一例である。ユーザは、番組情報内のキーワードを選択する。例えば、関連情報の一つである卵Ｇ９２を選択したとき、検索エンジン決定部２０３は、検索サービス、関連サービスの選定を行う。提示サービス決定部１０７は、検索エンジン決定部２０３で選定された検索サービスおよび関連サービスに対して、表示部１０６に表示させる提示サービスの選定を行う。
【０１１１】
提示サービス決定部１０７は、提示サービスを表示部１０６に表示させる。表示部１０６は、検索サービスのウインドウＧ９１が表示される。検索サービスのウインドウＧ９１は、検索サービスおよび関連サービス、例えば、ネットスーパのアイコンＧ９１１、検索サイト、レシピサイト、などが表示される。提示サービス決定部１０７は、提示サービスのカテゴリー別にアイコンを表示させる。提示サービス決定部１０７は、例えば、複数のネットスーパのアイコンがある場合、優先度を用いて表示順を変更したり、アイコンの大きさを変えたりする。
【０１１２】
図１７は、本実施形態に係る検索サービス、および関連サービスの提示する方法の別の例を示す概念図である。
ユーザ端末装置１の表示部１０６に表示される画像Ｇ２０１は、キーワードＧ２０２、検索サイトの検索結果ウインドウＧ２０３、ネットブックショップの検索結果ウインドウＧ２０４、人物検索サイトの検索結果ウインドウＧ２０５を含んでいる。
画像Ｇ２０１は、情報バラエティＯＯ△△に関する番組情報の一例である。ユーザは、番組情報内のキーワードを選択する。
【０１１３】
例えば、出演者の一人であるＯＯ太郎Ｇ２０２を選択したとき、検索エンジン決定部２０３は、検索サービス、関連サービスの選定を行う。提示サービス決定部１０７は、検索エンジン決定部２０３で選定された検索サービス、関連サービスに対して、表示部１０６に表示させる提示サービスの選定を行う。提示サービス決定部１０７は、提示サービスを表示部１０６に表示させる。表示部１０６は、検索サイトでの検索結果ウインドウＧ２０３、ネットブックショップの検索結果ウインドウＧ２０４、人物検索サイトの検索結果ウインドウＧ２０５を並べて表示する。
【０１１４】
検索サイトの検索結果ウインドウＧ２０３は、検索サイトでキーワードの検索を行った結果をインフレームでそのまま表示している。検索サイトの検索結果ウインドウＧ２０３における右上の「Ｘ」を選択するとそのウインドウを削除し、他の検索結果のウインドウが削除前より大きく表示される。ネットブックショップの検索結果ウインドウＧ２０４は、検索結果を検索情報管理サーバ装置２で再構築し、再構築された検索結果を表示している。
【０１１５】
人物検索サイトの検索結果ウインドウＧ２０５は、検索結果が１件のみであるため、そのまま検索結果のページを表示している。なお、本実施形態における検索結果ウインドウは、検索サイトでの検索結果ウインドウＧ２０３、ネットブックショップの検索結果ウインドウＧ２０４、人物検索サイトの検索結果ウインドウＧ２０５を並べて表示するとしているが、表示様態はこれに限らずウインドウ切り替えボタンを設け、各ウインドウを切り替えて表示するとしてもよい。また、検索結果ウインドウは、他の検索サービス、関連サービスの検索結果ウインドウを表示してもよい。
【０１１６】
図１８は、本実施形態に係る関連サービス、および検索結果の表示の別の例を示す概念図である。
画像Ｇ２１０は、番組情報の提供をせずに関連サービスを表示したときの一例である。ウインドウＧ２１１は、番組情報に類似したコメント、および広告を表示する。しかし、ウインドウＧ２１１は、番組情報をオプションとして指定していないため、番組情報に関連したコメント、広告などの関連サービスを表示できない。
【０１１７】
図１９は、本実施形態に係る番組情報、キーワード、およびオプションなどの提供により関連サービスの提示の別の例を示す概念図である。
画像Ｇ２２０は、番組情報を提供し、関連サービスを表示したときの一例である。番組コードＧ２１２を関連サービスのオプションとして指定することで、表示部１０６は、キーワードＧ２２２に関連する関連サービスウインドウＧ２２３、Ｇ２２４、Ｇ２２５を表示部１０６に表示する。
【０１１８】
関連サービスウインドウＧ２２３は、番組情報に関するコメント、広告などを表示する。関連サービスウインドウＧ２２４は、キーワードに関連する広告、例えば、キーワードがキャベツならば、ネットスーパなどの広告を表示する。関連サービスウインドウＧ２２５は、キーワードに関連するショッピングサイトの購入ページを表示する。検索エンジン決定部２０３は、関連サービスに、番組情報、キーワードをオプションとして指定することで、適切な関連サービスをユーザ端末装置１の表示部１０６に提示することができる。
【０１１９】
このように、本実施形態によれば、キーワード取得部１０５（通信部２０１）は、コンテンツに関するキーワードを取得する。記憶部２０４は、キーワードに対して複数の検索サービスの中から選択された一部の検索サービスが関連付けられて記憶している。検索エンジン決定部２０３は、キーワード取得部１０５（通信部２０１）が取得したキーワードに対応する検索サービスを記憶部２０４から読み取ることで検索エンジンを決定する。これにより、キーワードに基づく適切な検索エンジンを決定することが可能であり、キーワードに関連した適切な検索サービスを提示できるので、ユーザの利便性を向上させることができる。
【０１２０】
検索エンジン決定部２０３は、キーワードに対して複数の検索サービスの中から選択された一部の検索サービスが関連付けられて記憶されている記憶部２０４からキーワードに関連する情報を読み出す。検索エンジン決定部２０３は、検索エンジンで検索するジャンルを決定する。これにより、キーワードに基づく検索サービスにおいて適切にジャンルを設定することにより検索条件の選定が可能であり、検索結果の提示に掛かる時間を低減できる。
【０１２１】
検索エンジン決定部２０３は、キーワードに対して複数の検索サービスの中から選択された一部の検索サービスが関連付けられて記憶されている記憶部２０４からキーワードに関連する情報を読み出す。検索エンジン決定部２０３は、検索サービスの中からキーワードに関連する検索サービスを決定する。これにより、キーワードに対する検索サービスの検索結果が選定できる。また、特許文献１の情報処理装置は、複数の検索用ページ各々において検索するため、システム負荷が高くなるという問題があったが、本実施形態の検索エンジン決定部２０３は、キーワードに関連づけられた検索エンジン、ジャンルなどを用いることでシステム負荷の軽減ができる。
【０１２２】
検索エンジン決定部２０３は、キーワードに対して複数の検索サービスの中から選択された一部の検索サービスが関連付けられて記憶されている記憶部２０４からキーワードに関連する情報を読み出す。検索エンジン決定部２０３は、検索サービスの中からキーワードに関連する関連サービスを決定する。これにより、キーワードに対する検索サービスの検索結果が選定できる。また、特許文献１の情報処理装置は、複数の検索用ページ各々において検索するため、システム負荷が高くなるという問題があったが、本実施形態の検索エンジン決定部２０３は、キーワードに関連づけられた検索エンジン、ジャンルなどを用いることでシステム負荷の軽減ができる。
【０１２３】
検索エンジン決定部２０３は、キーワードに対して複数の検索サービスの中から選択された一部の検索サービスが関連付けられて記憶されている記憶部２０４からユーザ端末装置に関する情報を読み出す。検索エンジン決定部２０３は、読み出したユーザ端末装置１に関する情報を用いて前記検索サービスを決定する。ユーザ端末装置１に関する情報は、製品の型番、性能、機能、クロック数のうち少なくとも一つを含む情報である。これにより、端末の性能に応じたキーワードに関連する検索サービス、関連サービスの提供が可能である。また、新規に発売となるユーザ端末装置１以外のユーザ端末装置にも適切な検索サービス、関連サービスを提供することが可能である。
【０１２４】
検索エンジン決定部２０３は、キーワードに対して複数の検索サービスの中から選択された一部の検索サービスが関連付けられて記憶されている記憶部２０４からユーザ端末装置１に関する情報を読み出す。検索エンジン決定部２０３は、該読み出したユーザ端末装置１に関する情報を用いて関連サービスを決定する。ユーザ端末装置１に関する情報は、製品の型番、性能、機能、クロック数のうち少なくとも一つを含む情報である。これにより、ユーザ端末装置１に関する情報に応じたキーワードに関連する検索サービス、関連サービスの提供が可能である。また、新規に発売となるユーザ端末装置１以外にも適切な検索サービス、関連サービスを提供することが可能である。
【０１２５】
検索エンジン決定部２０３は、キーワードに対して複数の検索サービスの中から選択された一部の検索サービスが関連付けられて記憶されている記憶部２０４から読み出す。検索エンジン決定部２０３は、キーワード取得部１０５（通信部２０１）が取得したキーワードに対応する検索オプションを更に読み出す。検索エンジン決定部２０３は、検索エンジンで検索する際の検索オプションを決定する。これにより、検索結果の更なる選定が可能であり、適切なキーワードに関連する検索サービス、関連サービスの提供が可能である。
【０１２６】
検索エンジン決定部２０３は、キーワードに対して更に検索オプションが関連付けられて記憶されている記憶部２０４から前記キーワードに関連する情報を読み出す。検索エンジン決定部２０３は、提示する検索サービスが検索エンジンであった場合、オプションを用いて、提示する検索サービスを決定する。これにより、検索結果の更なる選定が可能であり、適切なキーワードに関連する検索サービス、関連サービスの提供が可能である。
【０１２７】
検索エンジン決定部２０３は、記憶部２０４においてキーワードに関連づけられた検索サービスには、優先度が設定されており、該優先度に基づいて前記検索サービスを決定する。これにより、検索結果の更なる選定が可能であり、キーワードに関連する適切な検索サービスの提供が可能である。また、優先度に基づいて、検索サービスを決定することができる。
【０１２８】
検索エンジン決定部２０３は、記憶部２０４に記憶されている前記キーワードに関連づけられた検索オプションに、優先度が設定されており、該優先度に基づいて検索オプションを決定する。これにより、検索結果の更なる選定が可能であり、キーワードに関連する適切な検索サービス、関連サービスの提供が可能である。また、優先度に基づいて、検索オプションを決定することができ、検索対象を選定することができる。
【０１２９】
検索エンジン決定部２０３は、記憶部２０４に記憶されている前記キーワードに関連づけられた検索オプションに、優先度が設定されており、該優先度に基づいて関連サービスを決定する。これにより、検索結果の更なる選定が可能であり、キーワードに関連する適切な関連サービスの提供が可能である。また、優先度に基づいて、関連サービスを決定することができる。
【０１３０】
検索エンジン決定部２０３は、キーワードに対して複数の検索サービスの中から選択された一部の検索サービスが関連付けられて記憶されている記憶部２０４から前記キーワードに関連する情報を読み出す。検索エンジン決定部２０３は、表示部１０６が検索エンジンを提示する際に、優先度に関する情報に基づいて表示する表示態様を変更する。これにより、優先度を用いた検索結果の更なる選定が可能であり、キーワードに関連する適切な検索サービス、関連サービスの提供が可能である。
【０１３１】
優先度に関する情報は、キーワードに対して予め関連づけて設定された優先度を示す条件に関する情報である。また、優先度に関する情報は、検索エンジンで検索された結果のヒット件数に関する情報のことである。これにより、検索エンジン決定部２０３は、予め設定された優先度を用いて検索サービスの選定ができる。また、検索エンジン決定部２０３は、検索された結果のヒット件数に関する情報を用いて、表示部１０６に表示させる表示態様を変更することができる。
【０１３２】
検索エンジン決定部２０３は、キーワードに対して複数の検索サービスの中から選択された一部の検索サービスが関連付けられて記憶されている記憶部２０４からキーワードに関連する情報を読み出す。検索エンジン決定部２０３は、キーワードと、地域と、が関連付けられた地域情報と、ユーザ端末装置１の位置情報と、を比較する。検索エンジン決定部２０３は、該比較した結果に基づいて、表示部１０６に表示する表示態様を変更する。これにより、表示部１０６に表示させることが決定された検索サービス、関連サービスの中から、ユーザ端末装置１の対象地域に該当する適切な検索サービス、関連サービスを表示することができる。また、キーワードに関連した地域情報に基づき、提示したい対象エリアにのみ適切な検索サービス、関連サービスを提供できる。
【０１３３】
検索エンジン決定部２０３は、キーワードに対して複数の検索サービスの中から選択された一部の検索サービスが関連付けられて記憶されている記憶部２０４から前記キーワードに関連する情報を読み出す。検索エンジン決定部２０３は、コンテンツ情報をオプションとして関連サービスに通知する。検索エンジン決定部２０３は、コンテンツに関するコメントまたは広告を表示部１０６に表示する表示態様を変更する。これにより、表示部１０６に表示させる検索サービス、関連サービスの表示態様を変更することができるとともに、広告収入などを考慮した検索サービス、関連サービスの表示態様に変更することもできる。
【０１３４】
なお、上述した実施形態における情報処理装置（ユーザ端末装置１、検索情報管理サーバ装置２）、サーバ装置（検索情報管理サーバ装置２、情報検索サーバ装置３）、ユーザ端末装置１、検索情報管理サーバ装置２、情報検索サーバ装置３の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、情報処理装置（検索情報管理サーバ装置２、情報検索サーバ装置３）に内蔵されたコンピュータシステムであって、ＯＳや周辺機器等のハードウェアを含むものとする。
【０１３５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【０１３６】
また、上記プログラムは、前述した機能の一部を実現するためのものであっても良く、さらに前述した機能をコンピュータシステムにすでに記録されているプログラムとの組み合わせで実現できるものであっても良い。
【０１３７】
また、上述した実施形態における情報処理装置（ユーザ端末装置１、検索情報管理サーバ装置２）、サーバ装置（検索情報管理サーバ装置２、情報検索サーバ装置３）、ユーザ端末装置１、検索情報管理サーバ装置２、情報検索サーバ装置３の一部、または全部を、ＬＳＩ（Ｌａｒｇｅ  Ｓｃａｌｅ  Ｉｎｔｅｇｒａｔｉｏｎ）等の集積回路として実現しても良い。情報処理装置（ユーザ端末装置１、検索情報管理サーバ装置２）、サーバ装置（検索情報管理サーバ装置２、情報検索サーバ装置３）、ユーザ端末装置１、検索情報管理サーバ装置２、情報検索サーバ装置３の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１３８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１３９】
Ｓ１・・・情報検索システム
Ｎ１・・・通信網
１・・・ユーザ端末装置
１０１・・・位置情報取得部
１０２・・・番組情報取得部
１０３・・・端末装置情報取得部
１０４・・・検索条件決定部
１０５・・・キーワード取得部
１０６・・・表示部
１０７・・・提示サービス決定部
１０８・・・基本機能部
１０９・・・通信部
２・・・検索情報管理サーバ装置
２０１・・・通信部
２０２・・・番組情報収集部
２１・・・キーワード関連付け部
２１１・・・検索サービス関連付け部
２１２・・・関連サービス関連付け部
２１３・・・検索オプション関連付け部
２１４・・・選定条件関連付け部
２１５・・・機能要件設定部
２１６・・・優先度設定部
２０３・・・検索エンジン決定部
２０４・・・記憶部
３・・・情報検索サーバ装置
３０１・・・通信部
３０２・・・ＶＯＤ検索部
３０３・・・レシピ検索部
３０４・・・地図検索部
３０５・・・商品検索部
３０６・・・検索サイト検索部
【図１】
2014010638.tif 000003
【図２】
2014010638.tif 000004
【図３】
2014010638.tif 000005
【図４】
2014010638.tif 000006
【図５】
2014010638.tif 000007
【図６】
2014010638.tif 000008
【図７】
2014010638.tif 000009
【図８】
2014010638.tif 000010
【図９】
2014010638.tif 000011
【図１０】
2014010638.tif 000012
【図１１】
2014010638.tif 000013
【図１２】
2014010638.tif 000014
【図１３】
2014010638.tif 000015
【図１４】
2014010638.tif 000016
【図１５】
2014010638.tif 000017
【図１６】
2014010638.tif 000018
【図１７】
2014010638.tif 000019
【図１８】
2014010638.tif 000020
【図１９】
2014010638.tif 000021